(57)【要約】【課題】メダルを簡単に整列できるようにし、遊技者が遊技に集中できるようにした。【解決手段】本体１と、本体１から払い出されたメダルＭを受ける受け皿２とを備え、受け皿２が、底面２０及びこの底面２０から連続して本体１正面側に立ち上がる周壁２１を備え、周壁２１の内側に、メダルＭが積み重ねられた状態で係合可能な一又は二以上のメダル係合溝３を設け、メダル係合溝３を、メダルＭの径に等しいかまたはメダルＭの径よりやや大きいピッチＰで複数連続して設けた。【選択図】図２
2008125531.tif 000002
【特許請求の範囲】
【請求項１】
本体と、該本体から払い出されたメダルを受ける受け皿とを備えた遊技機であって、
前記受け皿が、底面及びこの底面から連続して本体正面側に立ち上がる周壁を備え、
前記周壁の内側に、メダルが積み重ねられた状態で係合可能な一又は二以上のメダル係合溝を設けたことを特徴とする遊技機。
【請求項２】
前記メダル係合溝は、メダルの外周に沿う円弧面を備えてなることを特徴とする請求項１記載の遊技機。
【請求項３】
前記メダル係合溝は、メダルの外周が点接触可能な複数の平面を備えてなることを特徴とする請求項１記載の遊技機。
【請求項４】
前記メダル係合溝を、複数連続して設けたことを特徴とする請求項１〜３いずれか一項に記載の遊技機。
【請求項５】
前記連続するメダル係合溝は、そのピッチがメダルの径に等しいかまたはメダルの径よりやや大きくして設けられることを特徴とする請求項４記載の遊技機。
【請求項６】
前記メダル係合溝を、前記周壁の左右両側のうち少なくともいずれか一方側に設けたことを特徴とする請求項１〜４いずれか一項に記載の遊技機。
【請求項７】
前記メダル係合溝に係合したメダルの後端と前記底面との間に、隙間を形成する隙間形成手段を設けたことを特徴とする請求項１〜５のいずれか一項に記載の遊技機。
【請求項８】
前記隙間形成手段は、前記底面に設けられ、前記メダル係合溝に係合したメダル後端の直下に位置する後端側凹部からなることを特徴とする請求項６記載の遊技機。
【請求項９】
前記隙間形成手段は、前記メダル係合溝の下端側に前記底面に連続して設けられ、メダルの前端が落ち込む前端側凹部からなることを特徴とする請求項６記載の遊技機。
【発明の詳細な説明】
【技術分野】
【０００１】
本発明は、遊技媒体としてメダルを用いる遊技機に関する。
【背景技術】
【０００２】
一般に、いわゆるスロットマシン、パチスロ機などと呼ばれる遊技機は、メダル（コイン）が投入されて作動する本体と、本体などから払い出されるメダルを受ける受け皿とを備えて構成されている。本体が入賞などによるメダルの払い出しを判断すると、本体の払出口からメダルが払い出されて受け皿で受けられる。
遊技者は、受け皿にたまったメダルを取り出し、これを次の遊技のために本体に投入する。遊技者は、ほとんどの場合、メダルを投入するときに、受け皿の底面に無秩序に積み上がった多数のメダルからその一部を取り出し、これらを本体に連続して投入しやすいようにするために手で整列し、それから本体に投入する。
しかしながら、特に、遊技機を使い馴れていない初心者などにおいては、メダルの整列が煩雑で、概数の確認やメダルの投入を難しくしていた。
【０００３】
従来、メダルを整列しやすくした遊技機としては、例えば、特許文献１（特開平１１−１１４１４１号公報）に記載のものが知られている。
図１１に示すように、この特許文献１記載の遊技機は、本体と受け皿１０１とを備え、受け皿１０１の底面１０２に、受け皿１０１のメダルＭが入り込んで整列させられる複数の溝１０３を設けた構成としている。
この遊技機においては、本体１００に設けた払い出し口１０４からのメダルＭは、受け皿１０１で受けられると、底面１０２の溝１０３に入り込む。そして、例えば、遊技者が手で、溝１０３内のメダルＭを溝の端部に寄せると、メダルＭが整列させられる。
【０００４】
また、従来、この種の遊技機としては、例えば、特許文献２（特開２００５−１８５４２４号公報）に記載のものも知られている。
図１２に示すように、この特許文献２記載の遊技機は、本体（図示せず）と受け皿１１０とを備えてなる。受け皿１１０は、周壁１１３と底壁１１４とを備えている。受け皿１１０の底壁には、メダル（図示せず）の径とほぼ同径の半円状に形成されると共に周壁１１３の側壁１１２に向かって傾斜状に延在する導出溝１１５が設けられている。
この遊技機においては、受け皿１１０内のメダルが導出溝１１５内に入った後に、導出溝１１５内に手の指を入れてメダルに指をかけて導出溝１１５の長手方向に沿って指をスライドさせると導出溝１１５内のメダルが順に引き起こされ、そのまま、指をさらにスライドさせると導出溝１１５の端部で整列される。
【０００５】
【特許文献１】特開平１１−１１４１４１号公報
【特許文献２】特開２００５−１８５４２４号公報
【発明の開示】
【発明が解決しようとする課題】
【０００６】
しかしながら、上記の遊技機にあっては、受け皿１０１，１１０の底面にメダルを整列させる溝１０３（導出溝１１５）が設けられているので、複数枚のメダルが集まったときに、メダルの平面が溝１０３，１１５の長手方向に沿って、しかも、立ち上がった姿勢で溝１０３，１１５に入り込んでしまうおそれがあった。この姿勢のメダルは、溝１０３，１１５の端部に寄せられても、そのままの姿勢で移動しやすいので、メダルを整列させにくいという問題があった。
そのため、遊技者は、メダルの整列時に、上記のように立ち上がった姿勢のメダルがあるか否かを目視したり、底面に設けた溝１０３，１１５全体を手探りしたりして逐一確認し、必要に応じてメダルの姿勢を手で整えてから端部に寄せるなどしなければならなくなるので、メダルの整列にほとんどの注意を向けるようになり、遊技に集中しにくいという問題があった。
【０００７】
本発明は、以上のような従来の技術が有する問題を解決するために提案されたものであり、メダルを簡単に整列できるようにして、遊技者を遊技に集中させやすくできるようにした遊技機の提供を目的とする。
【課題を解決するための手段】
【０００８】
上記目的を達成するため本発明の遊技機は、本体と、該本体から払い出されたメダルを受ける受け皿とを備えた遊技機であって、前記受け皿が、底面及びこの底面から連続して本体正面側に立ち上がる周壁を備え、前記周壁の内側に、メダルが積み重ねられた状態で係合可能な一又は二以上のメダル係合溝を設けた構成としている。
【０００９】
このような構成からなる本発明の遊技機によれば、本体からメダルが払い出されると、受け皿の底面に落下し無秩序に積み上げられる。この際、底面に溝がなく、平らなのでほとんどのメダルが横になる。
次に、これらのメダルを、受け皿のメダル係合溝のある部分に寄せる。この際、メダルは、その平面が底面にほぼ沿って移動する。そして、メダルがメダル係合溝に至ると、これに入り込んで係合する。また、メダル係合溝内にメダルがあるときは、メダル係合溝内の積み重なったメダルの間に割り込んだり、上側にさらに積み重なったりして、メダル係合溝に係合する。
このように、単に受け皿内のメダルを、メダル係合溝に寄せるだけで、簡単にメダルが整列されていく。
次に、メダル係合溝内で整列させられたメダルを取り出す。この際、メダル係合溝で整列させられているので、手の感触でメダル係合溝に整列させられたメダルの数がわかる。そのため、所望の枚数とほぼ同等のメダルを、容易に取り出すことができる。
すなわち、受け皿の底面上のメダルを、メダル係合溝側に寄せていくだけで、メダルがメダル係合溝に係合し積み重なって整列されていくので、遊技者は、あまり注意を向けることなくメダルの整列などをすることができ、遊技に集中することができる。
【００１０】
また、前記メダル係合溝は、メダルの外周に沿う円弧面を備えた構成とすることが好ましい。
この場合、メダルは、メダル係合溝に係合すると、円弧面に面接触するので、メダルがメダル係合溝で押さえられるようになる。これにより、メダルをメダル係合溝内でメダルの平面方向に動きにくくすることができ、メダルを確実に整列させることができる。
【００１１】
また、前記メダル係合溝は、メダルの外周が点接触可能な複数の平面を備えた構成とすることが好ましい。
この場合、メダル係合溝にメダルが入ると、メダルは、各平面に点接触してメダル係合溝に係合する。これにより、メダルは、円弧面のものに比較して、メダルをメダル係合溝に沿って引き上げたとき、メダル係合溝との接触面積が小さいので、メダルとメダル係合溝との摩擦の抵抗を小さくできる。そのため、メダルを容易に取り出すことができる。
【００１２】
また、前記メダル係合溝を、複数連続して設けたことが好ましい。
この場合、メダル係合溝側にメダルを寄せると、一度に複数列のメダルの整列をすることができる。そのため、メダルを効率的に整列することができる。
【００１３】
また、前記連続するメダル係合溝は、そのピッチがメダルの径に等しいかまたはメダルの径よりもやや大きくして設けられることが好ましい。
このような構成によれば、メダル係合溝側にメダルを寄せると、連続するメダル係合溝のそれぞれにメダルを容易に入れることができる。そのため、より一層効率的にメダルを整列させることができる。
【００１４】
さらに、前記メダル係合溝を、前記周壁の左右両側のうち少なくともいずれか一方側に設けたことが好ましい。
この場合、メダル係合溝のあるおおよその方向に寄せると、メダルの一部が周壁に当たって、これらのメダルの移動方向がメダル係合溝側に向き、メダル係合溝に入ってこれに係合する。そのため、メダルを容易に整列させることができる。
【００１５】
また、前記メダル係合溝に係合したメダルの後端と前記底面との間に、隙間を形成する隙間形成手段を設けたことが好ましい。
この場合、隙間に指先を入れてメダルの下面にこの指先を引っ掛け、そのままメダル係合溝に係合した複数のメダルを引き上げる。そのため、メダル係合溝に係合したメダルを容易に取り出すことができる。
【００１６】
また、前記隙間形成手段は、前記底面に設けられ、前記メダル係合溝に係合したメダル後端の直下に位置する後端側凹部からなる構成としたことが好ましい。
これにより、後端側凹部に指先を入れて最下位のメダルの下面にこの指先を引っ掛けて引き上げる。そのため、メダル係合溝から全部のメダルを容易に取り出すことができる。
【００１７】
また、前記隙間形成手段は、前記メダル係合溝の下端側に前記底面に連続して設けられ、メダルの前端が落ち込む前端側凹部からなる構成としたことが好ましい。
このような構成によれば、メダル係合溝に係合したメダルは、メダルの前端側が前端側凹部に落ち込んで、係合した全部のメダルの後端側がその前端側より高く位置し、隙間ができるので、メダルを容易に取り出すことができる。
【発明の効果】
【００１８】
以上のように、本発明の遊技機によれば、簡単にメダルを整列させることができる。また、メダルを簡単に整列できるので、遊技者を、遊技に集中させることができる。
【発明を実施するための最良の形態】
【００１９】
以下、本発明に係る遊技機の好ましい実施形態について、図１〜図９を参照しつつ説明する。
［第一実施形態］
図１〜図６には、本発明の第一実施形態に係る遊技機を示している。
図１に示すように、本発明の第一実施形態に係る遊技機は、いわゆるスロットマシンと呼ばれるもので、その基本的構成は、メダル（コイン）がメダル投入口１１から投入されレバー１２などの操作により作動する本体１と、本体１から払い出されたメダルを受ける受け皿２とからなる。
【００２０】
図２〜図６にも示すように、本実施形態の遊技機の受け皿２は、本体１の下部に設けられるもので、底面２０及びこの底面２０から連続して本体１正面側に立ち上がる周壁２１を備えた構成としている。
具体的には、受け皿２は、樹脂により形成され、本体１の下部正面に対峙した前面壁２３と、前面壁２３の下縁部から本体１側に延びる底面壁２４と、前面壁２３の両側縁部から本体１側に延びる側面壁２２とを備えて構成されている。
前面壁２３、底面壁２４及び側面壁２２は、一体に形成されている。
そして、底面２０は、底面壁２４の上面からなり、周壁２１は、前面壁２３及び側面壁２２からなる。
受け皿２は、図示しないが、本体１正面から突出する雄ねじを、底面壁２４及び側面壁２２に設けた雌ねじに螺合して取り付けられ、本体１に片持ち支持されている。
【００２１】
周壁２１の内側には、メダルＭが積み重ねられた状態で係合可能な一又は二以上のメダル係合溝３が設けられている。また、メダル係合溝３は、周壁２１の左右両側のうち少なくともいずれか一方側に設けられている。
本実施形態においては、メダル係合溝３は、前面壁２３の内側面を本体１の正面側に、後退させて設けられている。
そして、メダル係合溝３は、メダルＭの外周に沿う円弧面３０を備えてなる。円弧面３０は、その径がメダルＭとほぼ同径に形成されている。また、メダル係合溝３は、前面壁２３の右側部に、三つ連続して設けられ、前面壁２３の左側部に、四つ連続して設けられている。
この連続するメダル係合溝３は、そのピッチＰがメダルＭの径に等しいかまたはやや大きくして設けられている。望ましくは、連続するメダル係合溝は、メダルの径の１〜１．２倍にして設けられている。本実施形態においては、メダル係合溝３は、メダルＭの径が２５ｍｍのものに合わせてあり、円弧面３０の径を２５ｍｍ、ピッチＰを２５ｍｍとして形成されている。
【００２２】
また、図３、図４、図５（ｂ）及び図６（ａ）に示すように、メダル係合溝３に係合したメダルＭの後端と底面２０との間に、隙間を形成する隙間形成手段を設けている。
隙間形成手段は、底面２０の一部を凹設形成してなるもので、メダル係合溝３に係合したメダルＭ後端の直下に位置する後端側凹部４０からなる。
後端側凹部４０は、浅く形成されており、メダルＭが落ち込まないようにメダルＭの大きさよりも小さく形成されるとともに、指先が入る程度に大きく形成されている。
【００２３】
次に、以上のような構成からなる遊技機の動作について説明する。
図５（ａ）に示すように、本体１のメダル払出口１０から複数のメダルＭが払い出されると、受け皿２の底面２０に落下し無秩序に積み上げられる。
この積み上がった複数のメダルＭの一部または全部を手で受け皿２の右側または左側に寄せていく（図５は、メダルＭを受け皿２の右側に寄せたときを示す）。
これらのメダルＭは、その平面が底面２０にほぼ沿って移動していき、メダルＭが各メダル係合溝３に入り込んでこれに係合する。
図５（ｂ）及び図６（ａ）に示すように、さらに、メダルＭをメダル係合溝３側に押しこんでいくと、メダル係合溝３内において、メダルＭの上側に積み重なったり、あるいは、積み重なったメダルＭの間に割り込んだりして、次々に、メダルＭが整列されていく。
【００２４】
また、この際、メダル係合溝３は、周壁２１の内側に設けられており、底面２０に落下したあとに、メダルＭは、そのほとんどが底面２０に沿って横になるので、メダル係合溝３の長手方向にメダルＭの平面方向に沿ってメダル係合溝３に入り込むことがほとんどなくなる。
すなわち、手で底面２０上のメダルＭを、メダル係合溝３側に寄せていくだけで、おのずとメダルＭがメダル係合溝３に係合し、しかも積み重なって整列されていくのである。そのため、簡単にメダルＭを整列させることができる。
【００２５】
また、メダル係合溝３では、円弧面３０にメダルＭが面接触するので、メダルＭが円弧面３０に押さえられるようになる。これにより、メダル係合溝３内で、メダルＭを、メダルＭの平面方向に動きにくくすることができ、メダルＭの整列を確実に行なうことができる。
また、メダル係合溝３が、複数連続して設けられているので、一度に複数列の整列をすることができ、効率的にメダルＭを整列させることができる。
【００２６】
さらに、メダル係合溝３は、そのピッチＰが１．２倍よりも大きいと、メダル係合溝３間の前面壁２３の略三角形状部分がメダルＭにひっかかりやすくなり、メダルＭがメダル係合溝３に入りにくくなるが、本実施形態では、メダル係合溝３は、そのピッチＰをメダルＭの径の１〜１．２倍にして連続して設けているので、このような事態もほとんど生じなくなる。そのため、連続するメダル係合溝３にメダルを容易に入れることができ、より一層効率的にメダルＭを整列させることができる。
また、本実施形態では、メダルＭの径とピッチＰとを等しくしたので、メダルＭをメダル係合溝３に対して隙間無く係合させることができる。また、各メダル係合溝３に係合して整列されたメダルＭの列と、このメダルＭの列に隣接するメダルＭの列との間に隙間がないので、受け皿２内のスペースを実質的に広くすることができ、多くのメダルＭを受け皿２で受けることができる。
【００２７】
そしてまた、メダル係合溝３を、前面壁２３の左右両側に設けているので、メダルＭをメダル係合溝３のあるおおよその方向に寄せると、寄せられたメダルＭが側面壁２２に当たって、その一部の移動方向がメダル係合溝３側に向き、メダル係合溝３に入ってこれに係合するので、メダルＭを容易に整列させることができる。
【００２８】
次に、例えば、図６（ｂ）に示すように、メダル係合溝３内で整列させられたメダルＭを取り出す。
この際、メダルＭは、メダル係合溝３で整列させられており、手の感触でメダル係合溝３に整列させられたメダルＭの概数がわかるので、所望の枚数とほぼ同数のメダルＭを、容易に取り出すことができる。
また、一つのメダル係合溝３に係合したすべてのメダルＭを取り出すときには、隙間形成手段である後端側凹部４０により、メダル係合溝３に係合したメダルＭと底面２０との間に隙間が形成されるので、後端側凹部４０に指先を入れて最下位のメダルＭの下面にこの指先を引っ掛け、その後、最下位のメダルＭの下側に指を差し入れてそのままメダル係合溝３に係合した複数のメダルを引き上げる。そのため、最下位のメダルＭが指先に引っかかりやすくなっているので、メダル係合溝３からメダルＭを容易に取り出すことができる。
【００２９】
そして、遊技者は、取り出されたメダルＭを、本体１のメダル投入口１１に投入する。この際、メダルＭを容易に整列でき、メダルＭを容易に取り出せるので、メダルＭの投入が円滑に行われる。その後、本体１が入賞などを判断することにより、メダル払出口１０などから受け皿２にメダルＭが払い出された場合には、上記と同様にし、メダルＭをメダル係合溝３側に寄せてメダルＭを整列する。
【００３０】
以上説明したように、本実施形態の遊技機によれば、受け皿２の底面２０上のメダルＭを、単にメダル係合溝３側に寄せていくだけで、メダルＭがメダル係合溝３に係合し積み重なっていく。
また、メダルＭが確実に整列されており、メダルＭの取り出しも容易になる。
これにより、遊技者は、あまり注意を向けることなく、メダルＭの整列及びメダルＭの取り出しができ、遊技に集中することができる。
【００３１】
尚、本実施形態において、メダルＭの径が２５ｍｍのものに合わせて、メダル係合溝３の径を２５ｍｍ、ピッチＰを２５ｍｍとしたが、メダル係合溝３の径を３０ｍｍとし、ピッチＰを３０ｍｍとすることもできる。
この場合、ピッチＰは、メダルＭの径が２５ｍｍの１．２倍である３０ｍｍなので、このメダル係合溝３にも、径が２５ｍｍのメダルＭを容易に入れることができる。また、径が２５ｍｍのものだけでなく、ピッチＰに等しい径（３０ｍｍ）のメダルＭもメダル係合溝３に、容易に入れることができる。
【００３２】
すなわち、このような構成によれば、径が２５ｍｍ以上３０ｍｍ以下のメダルを使用しても、このメダルＭを安定してメダル係合溝３に入れることができる。
そのため、本発明の遊技機は、メダル係合溝３に対応する最適なメダルＭの径の範囲が広がり、汎用性を良好にすることができる。また、メダルＭの径に合わせた受け皿２を個別に作らなくてもよくなるので、製造コストを低減することもできる。
【００３３】
［第二実施形態］
次に、本発明の第二実施形態に係る遊技機について説明する。
図７に示すように、この遊技機のメダル係合溝３ａは、メダルＭの外周が点接触可能な複数の平面３１ａ，３１ｂを備えてなる。具体的には、メダル係合溝３ａは、三つの平面３１ａ，３１ｂからなる。三つの平面３１ａ，３１ｂのうち、一つの平面３１ａは、本体１の正面にほぼ平行に設けられている。また、残りの二つの平面３１ｂは、平面３１ａの両側に本体１側に向けて拡開するように設けられている。
その他の構成は、上記実施形態のものと同様である。
【００３４】
したがって、この遊技機を用いるときは、上記と同様にして、受け皿で受けたメダルＭを、メダル係合溝３ａ側に寄せる。そして、メダル係合溝３ａにメダルＭが入ると、メダルＭは、外周上の三箇所が平面３１ａ，３１ｂに点接触してメダル係合溝３ａと係合する。
そして、上記と同様にしてメダル係合溝３ａからメダルＭを取り出す。この際、メダルＭは、平面３１ａ，３１ｂに対して点接触しており、円弧面のものに比較して、メダル係合溝３ａとの接触面積が小さくなるので、メダルＭを引き上げたときにメダルＭとメダル係合溝３ａとの摩擦抵抗を小さくできる。そのため、メダルＭを容易に取り出すことができる。
【００３５】
［第三実施形態］
次に、本発明の第三実施形態に係る遊技機について説明する。
図８及び図９（ａ）に示すように、この遊技機は、第一実施形態のものとは、隙間形成手段が、メダル係合溝３の下端側に底面２０に連続して設けられ、メダルの前端が落ち込む前端側凹部４１からなる点で異なる。
その他の構成部分は、第一実施形態と同様となっている。
この遊技機を用いるときは、上記と同様にして、底面２０に積み重なったメダルＭを左右両側のいずれかに寄せて、メダル係合溝３にメダルＭを係合させるとともに、メダル係合溝３内でメダルＭを積み重ねていく（図９（ｂ））。
【００３６】
この際、メダル係合溝３に係合したメダルＭは、メダルＭの前端側が前端側凹部４１に落ち込むので、最下位のメダルＭだけでなく、その上位側すべてのメダルＭが傾斜した状態でメダル係合溝３に入り込む。これにより、係合した全部のメダルＭの後端側がその前端側より高く位置する。そのため、最下位のメダルＭと底面２０との間に隙間ができるので、全部のメダルＭが取り出しやすくなる（図９（ｃ））。また、積み重なったメダルＭの上側の数枚を取り出したいときにも、これらのメダルＭとその下側のメダルＭとの間に指を入れやすくなる。
以上説明したように、本実施形態の遊技機によれば、第一実施形態の後端側凹部４０と同様に、メダル係合溝３の各メダルＭから上側のメダルＭの取り出しを容易に行うことができる。
【００３７】
以上、本発明の遊技機について、好ましい実施形態を示して説明したが、本発明に係る遊技機は、上述した実施形態にのみ限定されるものではなく、本発明の範囲で種々の変更実施が可能であることは言うまでもない。
例えば、底面壁の上面をそのまま底面として用いてもよいが、底面壁の上側に金属板を敷き、この上面を底面としてよい。
また、メダル係合溝は、上記のように、三つ連続や四つ連続に限定されず、二つであっても、五つ以上あってもよい。また、例えば、図１０に示すように、前面壁２３の全幅にわたってメダル係合溝３を設けてもよく、適宜設計変更して差支えない。
【図面の簡単な説明】
【００３８】
【図１】本発明の第一実施形態に係る遊技機を示す概略正面図である。
【図２】本発明の第一実施形態に係る遊技機の受け皿を示す概略斜視図である。
【図３】本発明の第一実施形態に係る遊技機の受け皿を示す平面図である。
【図４】本発明の第一実施形態に係る遊技機の受け皿の図３中のＡ−Ａ線断面を示す図である。
【図５】本発明の第一実施形態に係る遊技機の作用を示す一部切欠き平面図であり、（ａ）はメダルが受け皿で受けた状態で示す図、（ｂ）はメダルがメダル係合溝に係合した状態で示す図である。
【図６】本発明の第一実施形態に係る遊技機の作用を示す断面図であり、（ａ）はメダルがメダル係合溝に係合した状態で示す図、（ｂ）はメダル係合溝に係合したメダルを取り出すときの作用を示す図である。
【図７】本発明の第二実施形態に係る遊技機を示す要部拡大横断面図である。
【図８】本発明の第三実施形態に係る遊技機の受け皿を示す平面図である。
【図９】本発明の第三実施形態に係る遊技機の受け皿を示す図であり、（ａ）は図８中のＢ−Ｂ線断面を示す図、（ｂ）はメダル係合溝にメダルが係合した状態で示す図，（ｃ）はメダルを取り出すときの作用を示す図である。
【図１０】本発明の第一実施形態の変形例に係る遊技機の受け皿を示す図である。
【図１１】従来の遊技機の一例を示す図である。
【図１２】従来の別の遊技機の一例であって、遊技機の受け皿を示す図である。
【符号の説明】
【００３９】
１  本体
２  受け皿
３  メダル係合溝
１０  メダル払出口
１１  メダル投入口
１２  レバー
２０  底面
２１  周壁
２２  側面壁
２３  前面壁
２４  底面壁
３０  円弧面
３１ａ，３１ｂ  平面
４０  後端側凹部（隙間形成手段）
４１  前端側凹部（隙間形成手段）
【図１】
2008125531.tif 000003
【図２】
2008125531.tif 000004
【図３】
2008125531.tif 000005
【図４】
2008125531.tif 000006
【図５】
2008125531.tif 000007
【図６】
2008125531.tif 000008
【図７】
2008125531.tif 000009
【図８】
2008125531.tif 000010
【図９】
2008125531.tif 000011
【図１０】
2008125531.tif 000012
【図１１】
2008125531.tif 000013
【図１２】
2008125531.tif 000014